(57)【要約】本発明は、ディスク状記録媒体をディスクテーブルに挟持し、ディスクテーブルとともに回転操作するディスクチャッキング装置であり、回転中心線が鉛直方向とほぼ直交する方向に配され、ディスク状記録媒体の主面が鉛直方向と平行な方向で挿入されるディスクテーブルと、ディスクテーブルに設けられ、ディスク状記録媒体の中心孔が挿入されるセンタリング部と、ディスクテーブルを回転させるモータと、ディスクテーブルに挿入されたディスク状記録媒体をディスクテーブルとともに挟持するクランパと、ディスクテーブルに設けられ、ディスク状記録媒体の中心孔と係合する脱落防止部とを備えている。
2002050827.tif 000002
【特許請求の範囲】
【請求項１】
回転中心線が鉛直方向とほぼ直交する方向に配され、ディスク状記録媒体の主面が鉛直方向と平行な方向で挿入されるディスクテーブルと、
上記ディスクテーブルに設けられ、上記ディスク状記録媒体の中心孔が挿入されるセンタリング部と、
上記ディスクテーブルを回転させるモータと、
上記ディスクテーブルに挿入されたディスク状記録媒体を上記ディスクテーブルとともに挟持するクランパと、
上記ディスクテーブルに設けられ、上記ディスク状記録媒体の中心孔と係合する脱落防止部とを備えているディスクチャッキング装置。
【請求項２】
上記脱落防止部は、上記センタリング部に設けられている請求の範囲第１項記載のディスクチャッキング装置。
【請求項３】
上記センタリング部は、ほぼ円錐台状に形成されており、上記脱落防止部は上記センタリング部の側面に形成されている請求の範囲第２項記載のディスクチャッキング装置。
【請求項４】
上記センタリング部は、傾斜面を有する先端部と上記先端部に続く中間部と上記中間部に続き上記中間部の外形より大きく形成され、且つ上記ディスク状記録媒体の中心孔とほぼ同じ径を有する基板部とから構成されている請求の範囲第３項記載のディスクチャッキング装置。
【請求項５】
上記脱落防止部は、上記基端部と上記中間部との間に設けられている請求の範囲第４項記載のディスクチャッキング装置。
【請求項６】
上記脱落防止部は、係合溝から構成されている請求の範囲第５項記載のディスクチャッキング装置。
【請求項７】
上記脱落防止部は、円環状の突部から構成されている請求の範囲第５項記載のディスクチャッキング装置。
【請求項８】
上記脱落防止部は、複数の突部から構成されている請求の範囲第５項記載のディスクチャッキング装置。
【請求項９】
回転中心線が鉛直方向とほぼ直交する方向に配され、ディスク状記録媒体の主面が鉛直方向と平行な方向で挿入されるディスクテーブルと、
上記ディスクテーブルに挿入されたディスク状記録媒体の半径方向に移動される光学ピックアップと、
上記ディスクテーブルに設けられ、上記ディスク状記録媒体の中心孔が挿入されるセンタリング部と、
上記ディスクテーブルを回転させるモータと、
上記ディスクテーブルと相対的に移動して上記ディスクテーブルに挿入されたディスク状記録媒体を上記ディスクテーブルとともに挟持するクランパと、
上記ディスクテーブルに設けられ、上記ディスク状記録媒体の中心孔と係合する脱落防止部とを備えているディスク記録及び／又は再生装置。
【請求項１０】
上記脱落防止部は、上記センタリング部に設けられている請求の範囲第９項記載のディスク記録及び／又は再生装置。
【請求項１１】
上記センタリング部は、ほぼ円錐台状に形成されており、上記脱落防止部は上記センタリング部の側面に形成されている請求の範囲第１０項記載のディスク記録及び／又は再生装置。
【請求項１２】
上記センタリング部は、傾斜面を有する先端部と上記先端部に続く中間部と上記中間部に続き上記中間部の外形より大きく形成され、且つ上記ディスク状記録媒体の中心孔とほぼ同じ径を有する基板部とから構成されている請求の範囲第１１項記載のディスク記録及び／又は再生装置。
【請求項１３】
上記脱落防止部は、上記基端部と上記中間部との間に設けられている請求の範囲第１２項記載のディスク記録及び／又は再生装置。
【請求項１４】
上記脱落防止部は、係合溝から構成されている請求の範囲第１３項記載のディスク記録及び／又は再生装置。
【請求項１５】
上記脱落防止部は、円環状の突部から構成されている請求の範囲第１３項記載のディスク記録及び／又は再生装置。
【請求項１６】
上記脱落防止部は、複数の突部から構成されている請求の範囲第１３項記載のディスク記録及び／又は再生装置。
【請求項１７】
上記装置は、上記ディスクテーブルと上記クランパとを相対的に移動させる移動手段を備え、上記移動手段は、上記ディスクテーブルと上記クランパによって上記ディスクテーブルに挿入されたディスク状記録媒体を挟持するとともに、上記ディスクテーブルと上記クランパとを相対的に移動させ、上記ディスクテーブルと上記クランパとによる上記ディスク状記録媒体の挟持状態を解除させる請求の範囲第９項記載のディスク記録及び／又は再生装置。
【請求項１８】
上記装置は、更に上記クランパを回転自在に支持する支持部を備え、上記支持部には上記クランパが上記ディスクテーブルとともに上記ディスク状記録媒体の非挟持状態にあるときに、上記クランパを保持する保持手段が設けられている請求の範囲第１７項記載のディスク記録及び／又は再生装置。
【請求項１９】
上記保持手段は、保持用の磁石である請求の範囲第１８項記載のディスク記録及び／又は再生装置。
【請求項２０】
上記装置は、更に上記ディスクテーブルの先端側に設けられ、上記ディスクテーブルと上記クランパとによって上記ディスク状記録媒体を挟持するときに上記クランパを吸着する磁石を備え、上記磁石の磁力は、上記保持用の磁石の磁力より強い請求の範囲第１９項記載のディスク記録及び／又は再生装置。
【請求項２１】
上記クランパには、上記保持用の磁石によって吸着される磁性部材が設けられている請求の範囲第１９項記載のディスク記録及び／又は再生装置。
【発明の詳細な説明】
技術分野
本発明は、ディスクチャッキング装置並びにディスク記録及び又は再生装置に関し、特に、本発明は、ディスク状記録媒体の主面が鉛直方向と略平行な方向でチャッキングを行うディスクチャッキング装置並びにディスク記録及び又は再生装置に関する。
背景技術
従来、ディスク状記録媒体に記録された情報信号を読み出して再生するディスク再生装置が用いられている。このようなディスク再生装置には、ディスク状記録媒体の主面が鉛直方向と略平行な方向を向く状態でチャッキングを行ってディスク状記録媒体に対する再生動作が行われる所謂縦置き型のディスク再生装置がある。
この種の縦置き型のディスク再生装置として、ディスク状記録媒体のディスクテーブルへの装着に際して、図１に示すように、ディスク状記録媒体１０１が、クランパ１０２とディスクテーブル１０３とによって挟持される前に円錐台状を為すセンターリング突部１０４から脱落しないようにするため、ディスク状記録媒体１０１の外周部の一部が挿入されて当該ディスク状記録媒体１０１を保持するための保持部材１０５を設けているものがあった。このようなディスク再生装置においては、ディスク状記録媒体１０１がクランパ１０２とディスクテーブル１０３とによって挟持されると、保持部材１０５が所定の位置に移動されてディスク状記録媒体１０１から退避し、ディスクテーブル１０３の回転に伴ってディスク状記録媒体１０１が回転され、このディスク状記録媒体１０１に記録された情報信号の再生が行われる。
他の縦置き型のディスク再生装置にあっては、図２に示すように、ディスクテーブル１１１のセンタリング突部１１２の外周部に、複数のバネ部材１１３によってそれぞれセンタリング突部１１２の半径方向へ変位可能な金属球１１４を設け、ディスク状記録媒体１０１の装着時に該ディスク状記録媒体１０１の内周部によって金属球１１４を押圧して該金属球１１４をセンタリング突部１１２の中心方向へ変位させ、ディスク状記録媒体１０１の内周縁が金属球１１４を乗り越えたときにバネ部材１１３の弾発力によって金属球１１４を元の位置に戻してディスク状記録媒体１０１の内周縁に金属球１１４を係合させることにより、ディスク状記録媒体１０１のディスクテーブル１１１への装着が行われる。
ところが、図１に示すように、保持部材１０５を用いるディスク再生装置にあっては、ディスク状記録媒体１０１を保持するとき及びチャッキングが完了しディスク状記録媒体１０１の保持を解除するときに、保持部材１０５を移動させる必要がある。そのため、図１に示したディスク再生装置では、保持部材１０５を移動させるための移動機構を設けなければならず、装置の機構が複雑となり、移動機構や保持部材１０５を必要とする分、製造コストが高いという問題がある。
ディスク状記録媒体の種類によっては、直径の異なるディスク状記録媒体が存在しており、このような直径の異なるディスク状記録媒体の何れについても再生を可能とするディスク再生装置の場合には、保持部材１０５の移動位置を直径の異なるディスク状記録媒体ごとに設定しなければならず、さらに移動機構が複雑となる等の不具合を生じてしまう。
図に示すような金属球１１４を用いるディスク再生装置にあっては、ディスク状記録媒体１０１の装着に際して金属球１１４をセンタリング突部１１２の中心方向へ変位させるためにディスク状記録媒体１０１をディスクテーブル１１１の中心軸方向へ押圧しなければならず、ディスク状記録媒体１０１のディスクテーブル１１１への脱着の際にディスク状記録媒体１０１に負荷がかかり当該ディスク状記録媒体１０１にダメージを与えてしまうおそれがある。
発明の開示
本発明の目的は、上述したような従来の装置が有している問題点を解消し、ディスク状記録媒体のディスクテーブルへの装着を簡易且つ適正に行うことができるディスクチャッキング機構及びディスク再生装置を提供することにある。
上述のような目的を達成するために提案されるディスクチャッキング装置は、回転中心線が鉛直方向とほぼ直交する方向に配され、ディスク状記録媒体の主面が鉛直方向と平行な方向で挿入されるディスクテーブルと、ディスクテーブルに設けられ、ディスク状記録媒体の中心孔が挿入されるセンタリング部と、ディスクテーブルを回転させるモータと、ディスクテーブルに挿入されたディスク状記録媒体を上記ディスクテーブルとともに挟持するクランパと、ディスクテーブルに設けられ、ディスク状記録媒体の中心孔と係合する脱落防止部とを備えている。
脱落防止部は、ほぼ円錐台状に形成されたセンタリング部の側面形成され、係合溝あるいは円環状の突部から構成され、更には、複数の突部から構成したものが用いられる。
本発明に係るディスク記録及び／又は再生装置は、回転中心線が鉛直方向とほぼ直交する方向に配され、ディスク状記録媒体の主面が鉛直方向と平行な方向で挿入されるディスクテーブルと、ディスクテーブルに挿入されたディスク状記録媒体の半径方向に移動される光学ピックアップと、ディスクテーブルに設けられ、ディスク状記録媒体の中心孔が挿入されるセンタリング部と、ディスクテーブルを回転させるモータと、ディスクテーブルと相対的に移動してディスクテーブルに挿入されたディスク状記録媒体をディスクテーブルとともに挟持するクランパと、ディスクテーブルに設けられ、ディスク状記録媒体の中心孔と係合する脱落防止部とを備えている。
本発明に係るディスク記録及び／又は再生装置は、更に、ディスクテーブルとクランパとを相対的に移動させる移動手段を備える。移動手段は、ディスクテーブルとクランパによってディスクテーブルに挿入されたディスク状記録媒体を挟持するとともに、ディスクテーブルとクランパとを相対的に移動させ、ディスクテーブルとクランパとによるディスク状記録媒体の挟持状態を解除させる。
この装置は、更にクランパを回転自在に支持する支持部を備え、支持部にはクランパがディスクテーブルとともにディスク状記録媒体の非挟持状態にあるときに、クランパを保持する保持手段が設けられている。
本発明の更に他の目的、本発明によって得られる具体的な利点は、以下に説明される実施例の説明から一層明らかにされるであろう。
発明を実施するための最良の形態
以下に、本発明に係るディスクチャッキング機構及びこのディスクチャッキング機構を用いたディスク再生装置を、図面を参照して説明する。
先ず、図３乃至図７を用いて、本発明に係る第１の実施の形態について説明する。
図３に示すディスク再生装置１は、外筐２内に所要の各部材及び各機構が配置されて成り、例えば、ディスク状記録媒体１００の主面１００ａが鉛直方向と平行な方向を向いた状態で装着され再生動作が実行される所謂縦置き型の装置である。ここで用いるディスク状記録媒体１００としては、所謂コンパクトディスクのような光ディスクが用いられる。
図３に示すように、外筐２の前面は開口されており、外筐２内には前面開口に対応した形状を為すシャーシ３が配置されている。シャーシ３の中央部には縦長の配置孔３ａが形成され、該配置孔３ａにベースユニット４が配置されている。
ベースユニット４は、図４及び図５に示すように、ベース部材５に駆動モータ６、ディスクテーブル７及び光学ピックアップ８等が取り付けられ又は支持されている。ベース部材５は縦長の形状に形成され、上端部を除く部分に縦長の開口部５ａが形成されている。ベース部材５の周縁部からは複数の被支持部５ｂが突出するように形成されている。ここでは、被支持部５ｂは、図４に示すように、３箇所に設けられている。これら被支持部５ｂ、５ｂ、５ｂが図示しないダンパー部材を介して外筐２内又はシャーシ３の裏面側に取り付けられる。その結果、ベースユニット４が外筐２内に配置されている。
ベースユニット４の上端部には駆動モータ６が取り付けられており、該駆動モータ６のモータ軸６ａがベース部材５から外筐２の前面の開口から前方へ突出されている。即ち、モータ６のモータ軸６ａが、鉛直方向と直交する方向となるようにベースユニット４に取り付けられている。
ディスクテーブル７は、モータ軸６ａの先端側に取り付けられ、ディスクテーブル７の回転中心線が鉛直方向とほぼ直交する方向を向くように配されている。ディスクテーブル７は、略円板状を為すテーブル部９と該テーブル部９の中央部から突出されたセンタリング部１０とを有し、例えば、テーブル部９とセンタリング部１０とが合成樹脂材料によって一体に形成されている。ディスク状記録媒体１００は、中心孔１００ｂがセンタリング部１０に挿入され、テーブル部９によって支持される。
センタリング部１０の周面、即ち、外周側の側面となる部分には、その軸方向における略中央部に周方向に延びる係合溝１０ａが形成されている。係合溝１０ａは、センタリング部１０の周面の全周に亘って形成されている。係合溝１０ａは、ディスク状記録媒体１００の中心孔１００ｂと係合することによってチャッキング前の状態にあるディスク状記録媒体１００のディスクテーブル７からの脱落を防止する脱落防止部としての機能を有する。
センタリング部１０は、図５に示すように、全体としてほぼ円錐台状に形成されており、係合溝１０ａよりベース部材５側、即ち、テーブル部９側に位置する基端部１０ｂの外径は、係合溝１０ａのセンタリング部１０の先端側に位置する中間部１０ｃの外径より稍大きく形成されている。基端部１０ｂの外径は、ディスク状記録媒体１００の中心孔１００ｂの径と略同じに形成されている。センタリング部１０のうち中間部１０ｃの前側に連続する先端部１０ｄは、先端にいくに従って外径が小さくなる傾斜面を有し、ディスク状記録媒体１００がセンタリング部１０に装着される際の案内部としての機能を有する。
センタリング部１０の先端側の部分には、円環状を為すマグネット１１がセンタリング部１０の先端面に形成された円環状の溝部内に取り付けられている。
ディスクテーブル７は、駆動モータ６のモータ軸６ａに固定され、駆動モータ６によって回転される。
光学ピックアップ８は、ディスク状記録媒体１００に記録された情報信号を読み出して再生する再生部を構成し、移動ベース１２上に支持された２軸アクチュエータ１３を有する。移動ベース１２は、図４に示すように、その一端部側がベース部材５に回転可能に支持されたリードスクリュー１４に螺合され、他端部側がベース部材５に取り付けられたガイド軸１５に摺動自在に支持されている。リードスクリュー１４が図示しないピックアップ用モータによって軸回り方向に回転駆動されると、移動ベース１２はリードスクリュー１４の回転方向によってディスクテーブル７に装着されるディスク状記録媒体１００の半径方向へガイド軸１５に案内されて移動される。
２軸アクチュエータ１３には対物レンズ１３ａが設けられており、対物レンズ１３ａをこの対物レンズ１３ａの光軸と平行な方向と光軸に直交する方向に移動させる。対物レンズ１３ａがケース体１６に形成された透過孔１６ａから外方、即ち、ディスクテーブル７に装着されたディスク状記録媒体１００と対向するように臨まされる。
図３に示すように、外筐２の一側縁には、外筐２の前面開口を開閉するカバー体１７が回動自在に支持されている。カバー体１７の内面には、図７に示すように、クランパ支持部１８が設けられている。クランパ支持部１８は、回転可能且つ軸方向に移動可能に支持されたクランパ１９が設けられている。
クランパ支持部１８は、図７に示すように、カバー体１７から突出された円筒状を為す基部１８ａと該基部１８ａの先端縁から内方へ突出されたフランジ部１８ｂとから構成されている。カバー体１７の内面には、クランパ支持部１８の基部１８ａの内部にクランパ１９を保持するための保持用マグネット１７ａが取り付けられている。保持用マグネット１７ａの磁力は、ディスクテーブル７に設けられたマグネット１１の磁力より弱くされている。
クランパ１９は、円筒状を為す外嵌部１９ａと該外嵌部１９ａの軸方向における一端縁から外方へ突出された挟持部１９ｂと外嵌部１９ａの軸方向における他端部から外方へ突出された複数の被支持突部１９ｃとを有する。外嵌部１９ａの内部には磁性部材としての鉄板２０が取り付けられている。クランパ１９は、複数の被支持突部１９ｃがクランパ支持部１８の基部１８ａの内部に挿入されることによってクランパ支持部１８に回転自在に支持され、フランジ部１８ｂと複数の被支持突部１９ｃとが係合することによってクランパ１９のクランパ支持部１８からの脱落が防止されている。なお、ここで、被支持突部１９ｃは、３つ設けられている。
以下に、上述した図３から図７に示したディスク再生装置１のディスク状記録媒体１００のチャッキング動作について説明する。
先ず、図３に示すように、ユーザはディスク再生装置１のカバー体１７を回動させて、即ち飛来して外筐２の前面開口を開放する。このとき、クランパ１９は鉄板２０が保持用マグネット１７ａに吸着されているので、カバー体１７に最も近づいた位置に保持されている。
次に、ユーザは図６に示すように、ディスク状記録媒体１００の中心孔１００ｂの内周縁をディスクテーブル７のセンターリング部１０の係合溝１０ａに係合させる。
次いで、ユーザは、カバー体１７を回動させて、即ち閉じて外筐２の前面開口をカバー帯１７によって閉塞する。このときクランパ支持部１８に支持されたクランパ１９は、保持用マグネット１７ａの磁力よりもマグネット１１の磁力が大きいので、鉄板２０がマグネット１１によってディスクテーブル７側に引き寄せられ、ディスク状記録媒体１００の内周部がマグネット１１の磁力によって引き寄せられたクランパ１９によってテーブル部９側に押圧され、鉄板２０がマグネット１１に吸着されることによりテーブル部９とクランパ１９の挟持部１９ｂとにより挟持される（図７参照）。その結果、ディスク状記録媒体１００がディスクテーブル７とクランパ１９によってチャッキングされる。
ディスク状記録媒体１００がチャッキングされた状態でディスク再生装置１に設けられた図示しない再生スイッチをユーザが操作すると、駆動モータ６によってディスクテーブル７が回転され、ディスクテーブル７の回転に伴ってディスク状記録媒体１００とクランパ１９とが一体となって回転される。ディスク状記録媒体１００が回転されると、図示しないピックアップ用モータの駆動によって光学ピックアップ８がディスク状記録媒体１００の半径方向へ移動され、２軸アクチュエータ１３の対物レンズ１３ａを介してディスク状記録媒体１００の信号記録面にレーザ光が照射されると共に２軸アクチュエータ１３による対物レンズ１３ａのフォーカシング制御及びトラッキング制御が行われてディスク状記録媒体１００に記録された情報信号がディスク状記録媒体１００から読み出される。
その後、ディスク状記録媒体１００の再生動作が終了すると、ユーザは、カバー体１７を回動して、即ち開けて外筐２の前面開口を再び開放する。このとき、クランパ１９は、マグネット１１の磁力に抗してディスクテーブル７から離間され、ディスク状記録媒体１００のチャッキング状態が解除される。従って、ディスク状記録媒体１００を外筐２内から取り出すことができる。この状態で、クランパ１９は、再び鉄板２０が保持用マグネット１７ａに吸着されてカバー体１７に最も近づいた位置に保持される。
上述したように、本発明に係るディスク再生装置１にあっては、ディスクテーブル７に設けられた脱落防止部としての係合溝１０ａとディスク状記録媒体１００の中心孔１００ｂとが係合することによってによってチャッキング前の状態でのディスク状記録媒体１００のディスクテーブル７からの脱落を防止している。その結果、チャッキングを行う前の状態でディスク状記録媒体１００を保持するための専用の保持部材及び該保持部材を移動させるための移動機構を必要とせず、また、ディスク再生装置１の内部機構が複雑とならず、ディスク状記録媒体１００のチャッキングを簡易且つ適正に行うことができると共に製造コストの低減を図ることができる。
上述した本発明によれば、ディスク状記録媒体１００径の大きさによらずに簡易且つ適正なチャッキングが可能であり、直径の異なる複数のディスク状記録媒体についての再生を可能とする汎用性の高いディスク再生装置を提供することができる。
さらに、上述した本発明によればディスク状記録媒体１００のチャッキングに際しては、ディスク状記録媒体１００の中心孔１００ｂをディスクテーブル７に挿入するだけでよいため、ディスク再生装置１へのディスク状記録媒体１００の挿脱の際に、ディスク状記録媒体１００に必要以上の大きな負荷を加わることがなく、ディスク状記録媒体１００にダメージを与えるようなことがない。
さらにまた、上述した発明では、脱落防止部として係合溝１０ａを形成しているので、この係合溝１０ａにディスク状記録媒体１００の中心孔１００ｂを係合させることによってディスクテーブル７からディスク状記録媒体１００の脱落をしにくくすることができるので、ディスクテーブル７への挿入がし易くなり、また、チャッキングが解除されたときにディスク状記録媒体１００がディスクテーブルより脱落しにくくなるので、ユーザはディスク状記録媒体１００のディスクテーブル７からの取り外しを容易に行うことができる。
加えて、上述した発明では、係合溝１０ａがディスクテーブル７の全周に亘って形成されているので、ディスクテーブル７の回転方向における停止位置によらずディスク状記録媒体１００の内周縁を係合溝１０ａに確実に係合させることができる。
次に、図８から図１１を用いて本発明に係る第２の実施の形態について説明する。
尚、本発明の第２の実施の形態に係るディスク再生装置１Ａは、図３に示したディスク再生装置１とは、ディスク状記録媒体１００を搬送する搬送部が設けられている点で相違する。そこで、図３に示したディスク再生装置１と対比して異なる部分についてのみ詳細に説明をし、その他の部分については図３に示したディスク再生装置１における部分に付した指示符号と共通の指示符号を付して詳細な説明は省略する。
図８に示すように、ディスク再生装置１Ａは外筐２１内に所要の各部材及び各機構が配置されている。ディスク再生装置１Ａは、ディスク状記録媒体１００の主面１００ａが鉛直方向と平行な方向を向いた状態で装置１Ａに装着され再生が行われる所謂縦置き型の再生装置である。
ディスク再生装置１Ａには、ディスク状記録媒体１００を搬送するための搬送部２２が設けられている。搬送部２２は、一方が開口された扁平な箱状を為す外筐２１に引き出し自在に支持されており、ベース体２３に所要の各部材及び各機構が配置されている。
ベース体２３は、例えば、背面側が開口された扁平な箱状を為し、一方の側縁に外筐２１の開口を閉塞する閉塞板２４が設けられている。
ベース体２３の主面部２３ａには配置孔２５が形成され、この配置孔２５にベースユニット４が配置されている。ベースユニット４は、ディスクテーブル７が配置孔２５から突出されており、図１０に示すように、配置孔２５から僅かに突出された第１の位置と、図９又は図１１に示すように第１の位置よりも配置孔２５からの突出量が大きな第２の位置との間を移動可能とされている。
ベース体２３の主面部２３ａと直交する一方の面、例えば、上面２３ｂにはラック２６が設けられている。ラック２６は、外筐２１内に設けられた図示しないベース体２３の送り機構のピニオンギヤと噛合され、ピニオンギヤが回転することによってラック２６が送られ、搬送部２２が外筐２１から引き出され、または、搬送部２２が外筐２１内に収納される。尚、搬送部２２が外筐２１内に収納された状態においては、外筐２１の開口がベース体２３に設けられた閉塞板２４によって閉塞される。
ベース体２３の主面部２３ａと対向する外筐２１の内面には、クランパ支持部１８が設けられている。クランパ支持部１８には、クランパ１９が回転可能且つ軸方向に移動可能な状態で支持されている。外筐２１の内面には、クランパ支持部１８の基部１８ａの内部に保持用マグネット１７ａが固定されている。
以下に、本発明の第２の実施の形態に係るディスク再生装置１Ａにおけるディスク状記録媒体１００がチャッキングされるときの動作について説明する。
先ず、ディスク再生装置１Ａに設けられた図示しない操作スイッチをユーザが操作すると、図８に示すように、上述したベース体２３の図示しない送り機構を構成するピニオンギヤとラック２６とによって搬送部２２が外筐２１内から引き出される。搬送部２２が外筐２１から引き出された状態においては、ベース体２３は図１０に示す第１の位置にあるので、ユーザはディスク状記録媒体１００の中心孔１００ｂの内周縁をディスクテーブル７のセンタリング部１０の係合溝１０ａに係合させる。即ち、ディスクテーブル７にディスク状記録媒体１００に装着することができる。
次に、ディスク状記録媒体１００が図１０に示されている状態でユーザが図示しない操作スイッチを再度操作すると、上述した図示しないベース体２３の送り機構のピニオンギヤとラック２６とによって搬送部２２が移動されて外筐２１内に再び収納される。このとき、クランパ１９は鉄板２０が保持用マグネット１７ａに吸着されて、例えば図９に示すように、ディスクテーブル７から最も離間する位置に保持されている。ディスク状記録媒体１００は、中心孔１００ｂが係合溝１０ａに係合しているので、搬送部２２が移動する際にディスクテーブル７から脱落することはない。
再生装置１Ａに設けられた図示しないユーザが再生スイッチを操作すると、図１１に示すように、ベースユニット４が第１の位置から第２の位置へ移動される。ベースユニット４が第２の位置へ移動されると、保持用マグネット１７ａの磁力よりもマグネット１１の磁力が大きいため、クランパ支持部１８に支持されたクランパ１９は、鉄板２０がマグネット１１によって吸着されることによりディスクテーブル７側に引き寄せられ、ディスク状記録媒体１００の内周部が引き寄せられたクランパ１９によってテーブル部９側に押圧され、鉄板２０がマグネット１１によって吸着されることにより該テーブル部９とクランパ１９の挟持部１９ｂとによってディスク状記録媒体１００が挟持される。その結果、ディスク状記録媒体１００がディスクテーブル７とクランパ１９によってチャッキングされる。
ディスク状記録媒体１００がチャッキングされると、駆動モータ６によってディスクテーブル７が回転され、該ディスクテーブル７の回転に伴ってディスク状記録媒体１００とクランパ１９が一体となって回転される。ディスク状記録媒体１００が回転されると、図示しないピックアップ用モータによって光学ピックアップ８がディスク状記録媒体１００の半径方向へ移動され、２軸アクチュエーター１３の対物レンズ１３ａを介してディスク状記録媒体１００の信号記録面にレーザー光が照射されると共に２軸アクチュエーター１３による対物レンズ１３ａのフォーカシング制御及びトラッキング制御が行われてディスク状記録媒体１００に記録された情報信号がディスク状記録媒体１００から読み出される。
その後、再生装置１Ａに設けられた図示しない停止スイッチをユーザが操作する等として再生動作が終了状態となると駆動モータ６が停止され、次いで、ベースユニット４が図１１に示す第２の位置から図１０に示す第１の位置へ向けて移動される。ベースユニット４が第１の位置へ向けて移動されていくと、クランパ１９はマグネット１１の磁力に抗してディスクテーブル７から離間され、ディスク状記録媒体１００のチャッキング状態が解除される。このとき、クランパ１９は、図１０に示すように、再び鉄板２０が保持用マグネット１７ａに吸着されてディスクテーブル７から最も離間された位置に保持される。
ユーザによって再度、再生装置１Ａに設けられた操作スイッチを操作すると、上述した図示しないベース体２３の送り機構のピニオンギヤとラック２６とによって図８に示すように搬送部２２が外筐２１内から引き出される。その結果、ユーザは、ディスク状記録媒体１００をディスクテーブル７から取り外すことができる。
上述したディスク再生装置１及びディスク再生装置１Ａの何れの場合にあっても、ディスクテーブル７に脱落防止部として係合溝１０ａを形成した場合を示したが、この係合溝１０ａはディスク状記録媒体１００の中心孔１００ｂの内周縁が係合すればよいので、連続した溝である必要はなく、例えば、ディスクテーブル７の周方向に不連続な複数の係合溝として形成してもよい。
ディスクテーブル７に脱落防止部として形成されている係合溝１０ａに加えて突部を設けるようにしてもよい。脱落防止部として突部を設ける場合には、図１２に示すように、ディスクテーブル７Ａの中間部１０ｃを係合溝１０ａとの間に円環状を為す突部２７Ａを形成する。或いは、図１３に示すように、ディスクテーブル７Ｂに、このディスクテーブル７Ｂの周方向に所定の間隔で複数の突部２７Ｂを形成してもよい。この場合、ディスクテーブル７Ｂに設ける突部２７Ｂの数は、ディスクテーブル７Ｂの周方向に等間隔に設ける場合には、ディスクテーブル７Ｂの回転方向における停止位置によらずにディスク状記録媒体１００の内周縁を確実に係合させるために少なくとも３つ以上設けることが望ましい。
尚、図１２及び図１３に示したディスクテーブル７Ａ、７Ｂの構成のうち、先に述べたディスクテーブル７と共通部分には、同一の符号を付してある。
ところで、突部２７Ａ又は突部２７Ｂを設ける場合には、図１２に示すように、突部２７Ａの外径寸法Ｈ１は、図１３に示すように、突部２７Ｂ、２７Ｂの先端を結ぶ円の直径よりＨ２をディスク状記録媒体１００の中心孔１００ｂの径より小さくする必要がある。
上述した本発明では、所謂縦置き型の装置として、光ディスク再生装置を例に挙げて説明したが、縦置き型の光ディスクの記録装置や記録再生装置にも適用できる。
上述した各実施の形態において示した各部の具体的な形状及び構造は、何れも本発明を実施する際の具体化のほんの一例を示したものにすぎず、本発明に主旨を大きく逸脱しない範囲で種々の変形が可能であることは勿論である。
産業上の利用可能性
上述したように、本発明は、ディスク状記録媒体の主面が鉛直方向と平行な方向で挿入されるディスクテーブルにディスク状記録媒体の中心孔と係合する脱落防止部を設けているので、クランパによってチャッキングされる前の状態でもディスク状記録媒体をディスクテーブルに保持しておくことができるので、縦型に配置されるディスクテーブルに対しディスク状記録媒体を容易にしかも確実に装脱することができる。
また、ディスク状記録媒体は、中心孔をディスクテーブルに挿入してこのディスクテーブルへの装着が行えるので、直径を異にするディスク状記録媒体であっても選択的に装着できる。
【図面の簡単な説明】
図１は、従来のディスク再生装置におけるディスクチャッキング機構を一部を示す側断面図である。
図２は、従来のディスク再生装置の他の例を示し、この装置のディスクチャッキング機構を示す側断面図である。
図３は、本発明に係るディスク再生装置の第１の実施の形態を示す斜視図であり、図４は、ベースユニットを示す正面図であり、図５は、ベースユニットの一部断面側面図である。
図６は、ディスク状記録媒体が係合溝に係合された状態を示すベースユニットの側断面図である。
図７は、ディスク状記録媒体がチャッキングされた状態を示すベースユニットの側断面図である。
図８は、本発明に係るディスク再生装置の第２の実施の形態を示す斜視図である。
図９は、図８に示すディスク再生装置に用いられるクランパと共に示すベースユニットの側断面図である。
図１０は、ディスク状記録媒体が係合溝に係合された状態を示すベースユニットの側断面図である。
図１１は、ディスク状記録媒体がチャッキングされた状態を、一部を断面にして示すベースユニットの側断面図である。
図１２は、脱落防止部として突部を設けたディスクテーブルを示す斜視図である。
図１３は、脱落防止部として突部を設けたディスクテーブルの他の例を示す正面図である。
【図１】
2002050827.tif 000003
【図２】
2002050827.tif 000004
【図３】
2002050827.tif 000005
【図４】
2002050827.tif 000006
【図５】
2002050827.tif 000007
【図６】
2002050827.tif 000008
【図７】
2002050827.tif 000009
【図８】
2002050827.tif 000010
【図９】
2002050827.tif 000011
【図１０】
2002050827.tif 000012
【図１１】
2002050827.tif 000013
【図１２】
2002050827.tif 000014
【図１３】
2002050827.tif 000015
【国際調査報告】
2002050827.tif 000016
2002050827.tif 000017
2002050827.tif 000018
2002050827.tif 000019